(57)【要約】【課題】可撓筒体の経年劣化に起因する断裂を有効に防止して、部品点数の増加を招くことなく、ディスポーザ本体の落下防止を図ったディスポーザを提供する。【解決手段】ディスポーザ１は、取付け管６とディスポーザ本体８と可撓筒体９を備える。シンク２の排水口３に取付け管６が取り付けられ、取付け管６に可撓筒体９を介してディスポーザ本体８の投入口部１１ａとが連結され、ディスポーザ本体８が吊持される。可撓筒体９に、その周方向全域に沿って、かつその高さ方向略全長にわたって、撓み変形自在な帯状部材１５が埋設されている。【選択図】        図１
2005034721.tif 000002
【特許請求の範囲】
【請求項１】
シンクの排水口に取り付けられた取付け管とディスポーザ本体の投入口部とが可撓性を有する可撓筒体で連結されて、ディスポーザ本体が吊持されるディスポーザにおいて、
前記可撓筒体に、その周方向全域もしくは部分的に、かつその高さ方向略全長にわたって、撓み変形自在な帯状部材が埋設されていることを特徴とするディスポーザ。
【請求項２】
シンクの排水口に取り付けられた取付け管とディスポーザ本体の投入口部とが可撓性を有する可撓筒体で連結されて、ディスポーザ本体が吊持されるディスポーザにおいて、
前記可撓筒体の表面に沿って、その周方向全域もしくは部分的に、かつその高さ方向略全長にわたって、撓み変形自在な帯状部材が一体に添設されていることを特徴とするディスポーザ。
【請求項３】
シンクの排水口に取り付けられた取付け管とディスポーザ本体の投入口部とが可撓性を有する可撓筒体で連結されると共に、ディスポーザ本体が吊持されるディスポーザにおいて、
前記可撓筒体は、前記取付け管および前記投入口部とに連結されるそれぞれ厚肉の上リジッド連結部および下リジッド連結部と、これら上リジッド連結部と下リジッド連結部との間の薄肉の振動吸収筒部とを備え、
前記取付け管と前記投入口部との相互間で、前記可撓筒体内に位置して前記上リジッド連結部と前記下リジッド連結部とにわたってそれぞれ係止される支持体を備え、
前記上リジッド連結部および前記下リジッド連結部に、前記支持体と横方向に対してオーバーラップすべく、その周方向全域もしくは部分的に、かつその高さ方向略全長にわたって、撓み変形自在な帯状部材がそれぞれ埋設されていることを特徴とするディスポーザ。
【請求項４】
シンクの排水口に取り付けられた取付け管とディスポーザ本体の投入口部とが可撓性を有する可撓筒体で連結されると共に、ディスポーザ本体が吊持されるディスポーザにおいて、
前記可撓筒体は、前記取付け管および前記投入口部とに連結されるそれぞれ厚肉の上リジッド連結部および下リジッド連結部と、これら上リジッド連結部と下リジッド連結部との間の薄肉の振動吸収筒部とを備え、
前記取付け管と前記投入口部との相互間で、前記可撓筒体内に位置して前記上リジッド連結部と前記下リジッド連結部とにわたってそれぞれ係止される支持体を備え、
前記上リジッド連結部および前記下リジッド連結部の表面に沿って、前記支持体と横方向に対してオーバーラップすべく、その周方向全域もしくは部分的に、かつその高さ方向略全長にわたって、撓み変形自在な帯状部材が一体に添設されていることを特徴とするディスポーザ。
【発明の詳細な説明】
【０００１】
【発明の属する技術分野】
本発明は、厨房の生ゴミ等を破砕するディスポーザに関し、特にその可撓筒体の改良に関するものである。
【０００２】
【従来の技術】
従来、この種のディスポーザは、一般に、シンクの排水口に取り付けられた取付け管と、ディスポーザ本体上部の投入口部とをゴム連結管等からなる可撓筒体で連結して吊持する構造が採用されている（例えば、特許文献１参照。）。
【０００３】
しかしながら、使用環境による可撓筒体の経年劣化により、ディスポーザ本体の荷重や稼働時に振動によって可撓筒体が断裂し、吊持されているディスポーザ本体が落下するおそれがあった。
【０００４】
そこで、シンクの排水口に取り付けられた取付け管と、ディスポーザ本体上部の投入口部とをゴム連結管で連結し、ゴム連結管の外周をそれぞれ締付けバンドで締付け固定する際、上下の両締付けバンド相互間にわたって吊持部材を設け、ゴム連結管損傷時のディスポーザ本体の落下防止を図った構造のものもある（例えば、特許文献２参照。）。
【０００５】
【特許文献１】
特開２００３−１５９５４２号公報
【特許文献２】
特開２００１−２０５１３０号公報
【０００６】
【発明が解決しようとする課題】
しかしながら、上記のように上下の両締付けバンド相互間にわたって吊持部材を設ける構造によれば、別途部品が必要とされ、部品点数の増加を招くという欠点があり、また、シンク下側のスペースは一般に狭く、ディスポーザを取付けるに際して、組付ける部品点数が増加すると取付け作業が面倒となり、作業性の悪化を招くという問題があった。
【０００７】
そこで、本発明は上記問題点に鑑み、可撓筒体の経年劣化に起因する断裂を有効に防止して、部品点数の増加を招くことなく、ディスポーザ本体の落下防止を図ったディスポーザを提供することを目的とする。
【０００８】
【課題を解決するための手段】
上記目的を達成するための第１の技術的手段は、シンクの排水口に取り付けられた取付け管とディスポーザ本体の投入口部とが可撓性を有する可撓筒体で連結されて、ディスポーザ本体が吊持されるディスポーザにおいて、前記可撓筒体に、その周方向全域もしくは部分的に、かつその高さ方向略全長にわたって、撓み変形自在な帯状部材が埋設されている点にある。
【０００９】
また、上記目的を達成するための第２の技術的手段は、シンクの排水口に取り付けられた取付け管とディスポーザ本体の投入口部とが可撓性を有する可撓筒体で連結されて、ディスポーザ本体が吊持されるディスポーザにおいて、前記可撓筒体の表面に沿って、その周方向全域もしくは部分的に、かつその高さ方向略全長にわたって、撓み変形自在な帯状部材が一体に添設されている点にある。
【００１０】
さらに、上記目的を達成するための第３の技術的手段は、シンクの排水口に取り付けられた取付け管とディスポーザ本体の投入口部とが可撓性を有する可撓筒体で連結されると共に、ディスポーザ本体が吊持されるディスポーザにおいて、前記可撓筒体は、前記取付け管および前記投入口部とに連結されるそれぞれ厚肉の上リジッド連結部および下リジッド連結部と、これら上リジッド連結部と下リジッド連結部との間の薄肉の振動吸収筒部とを備え、前記取付け管と前記投入口部との相互間で、前記可撓筒体内に位置して前記上リジッド連結部と前記下リジッド連結部とにわたってそれぞれ係止される支持体を備え、前記上リジッド連結部および前記下リジッド連結部に、前記支持体と横方向に対してオーバーラップすべく、その周方向全域もしくは部分的に、かつその高さ方向略全長にわたって、撓み変形自在な帯状部材がそれぞれ埋設されている点にある。
【００１１】
また、上記目的を達成するための第４の技術的手段は、シンクの排水口に取り付けられた取付け管とディスポーザ本体の投入口部とが可撓性を有する可撓筒体で連結されると共に、ディスポーザ本体が吊持されるディスポーザにおいて、前記可撓筒体は、前記取付け管および前記投入口部とに連結されるそれぞれ厚肉の上リジッド連結部および下リジッド連結部と、これら上リジッド連結部と下リジッド連結部との間の薄肉の振動吸収筒部とを備え、前記取付け管と前記投入口部との相互間で、前記可撓筒体内に位置して前記上リジッド連結部と前記下リジッド連結部とにわたってそれぞれ係止される支持体を備え、前記上リジッド連結部および前記下リジッド連結部の表面に沿って、前記支持体と横方向に対してオーバーラップすべく、その周方向全域もしくは部分的に、かつその高さ方向略全長にわたって、撓み変形自在な帯状部材が一体に添設されている点にある。
【００１２】
【発明の実施の形態】
以下、本発明の第１の実施形態を図面に基づいて説明すると、図１および図２に示される如く、ディスポーザ１は、流し台におけるシンク２の排水口３に、パッキング４を介して水密状に、リングナット５により締付け固定される取付け管６を備え、取付け管６の下端部に、防振機構７を介してディスポーザ本体８の上端部が吊持される構造とされている。
【００１３】
防振機構７は、可撓性を有する可撓筒体９により主構成され、例えば、可撓材の一例としてのゴム材により断面円形の筒状に形成されている。そして、この可撓筒体９は、上部の厚肉に形成された上リジッド連結部９ａと、下部の厚肉に形成された下リジッド連結部９ｂと、これら上リジッド連結部９ａと下リジッド連結部９ｂとの間の外方膨出状に湾曲形成された若干薄肉の振動吸収筒部９ｃとから構成されている。
【００１４】
また、上リジッド連結部９ａの内周面には、取付け管６の下端部に径方向外方に張出形成された周方向環状の張出係合部が挿入される凹溝部９ｄが形成されており、下リジッド連結部９ｂの内周面には、ディスポーザ本体８における投入口部１１ａを構成する上ケーシング１１の上端部に径方向外方に張出形成された周方向環状の張出係合部が挿入される凹溝部９ｅが形成されている。
【００１５】
そして、可撓筒体９の上リジッド連結部９ａが取付け管６の下端部に外嵌されて、張出係合部が凹溝部９ｄに挿入されると共に、締付けバンド体１２により締付け固定され、下リジッド連結部９ｂが上ケーシング１１の上端部に外嵌されて、張出係合部が凹溝部９ｅに挿入されると共に、締付けバンド体１３により締付け固定され、ここに、取付け管６とディスポーザ本体８の上ケーシング１１とが可撓筒体９を介して互いに連結される構造とされている。
【００１６】
また、可撓筒体９の内部には、その周方向全域にわたって、かつその高さ方向略全長にわたって、撓み変形自在な布等からなる帯状部材１５が一体に埋設された構造とされている。例えば、帯状部材１５を型内の所望位置に配置した状態で溶融状態のゴム材を充填して可撓筒体９を成形すればよい。
【００１７】
前記ディスポーザ本体８は、前記上ケーシング１１の下側に連結される下ケーシング１６を備え、下ケーシング１６内には駆動モータ１７によって回転駆動される平面視円形の回転板と、回転板の上面に径方向に離隔して揺動自在に取り付けられた一対のスイングハンマと、各スイングハンマに対応して下ケーシング１６の内周壁に沿って配設された固定刃とを備えた構造とされている。
【００１８】
また、図１において、１９は内蓋で、厨芥投入口となる取付け管６の下部に着脱自在に配置され、その上部には封水キャップ２０が、着脱自在に装着されている。
【００１９】
そして、厨芥が厨芥投入口としての取付け管６を介してディスポーザ本体８内の破砕室に水と共に投入され、モータ１７の駆動により回転板が回転駆動されると、回転板の回転に伴って回転するスイングハンマの衝突によって厨芥が破砕されると共に、スイングハンマとその外周の固定刃との協働による剪断によって破砕され、破砕された厨芥は、下方の排出室に導かれ、水と共に排出通路を介して排出される。
【００２０】
本実施形態は以上のように構成されており、ディスポーザ本体８を吊持する可撓筒体９の内部に、その周方向全域にわたって、かつその高さ方向略全長にわたって、撓み変形自在な布等からなる帯状部材１５が一体に埋設されているため、長期使用により可撓筒体９を構成するゴムが経年劣化した場合においても、帯状部材１５によって可撓筒体９の断裂が有効に防止でき、帯状部材１５を介してディスポーザ本体８が支持されて、落下が有効に防止できる。
【００２１】
また、可撓筒体９の内部に帯状部材１５を埋設した構造であり、部品点数の増加を招くこともなく、シンク２下側の狭いスペースでの取付け作業における作業性にも優れる利点がある。
【００２２】
さらに、帯状部材１５は撓み変形自在な布等からなるため、ディスポーザ本体８側の振動等を吸収する防振性能にもあまり影響を与えず、可撓筒体９自体の製作設計も容易に行える。
【００２３】
なお、上記実施形態において、可撓筒体９の内部に、帯状部材１５が周方向全域にわたって、かつその高さ方向略全長にわたって埋設された構造を示しているが、周方向に離隔して複数個所部分的に、かつその高さ方向略全長にわたって埋設する構造としてもよい。
【００２４】
そして、この場合においても前記同様、可撓筒体９の経年劣化による断裂を防止してディスポーザ本体８の落下が防止できると共に、部品点数の増加も有効に防止できる。
【００２５】
また、上記実施形態においては、可撓筒体９の内部に帯状部材１５を埋設した構造を示しているが、可撓筒体９の外側表面もしくは内側表面に沿って、その周方向全域もしくは前記のように部分的に、かつその高さ方向略全長にわたって、帯状部材１５を接着剤等による貼着や可撓筒体９の成形時に一体に成形して一体に添設する構造としてもよい。
【００２６】
この場合においても前記同様、可撓筒体９の経年劣化による断裂を防止してディスポーザ本体８の落下が防止できると共に、部品点数の増加も有効に防止できる。
【００２７】
図３および図４は第２の実施形態を示しており、第１の実施形態と同様、ディスポーザ１は、シンク２の排水口３に、パッキング４を介してリングナット５により締付け固定される取付け管６を備え、取付け管６の下端部に、防振機構７を介してディスポーザ本体８の上端部が吊持される構造とされている。
【００２８】
防振機構７は、前記同様構成の可撓性を有する可撓筒体１０を備え、例えば、可撓材の一例としてのゴム材により断面円形の筒状に形成されている。そして、可撓筒体１０は、上部の厚肉に形成された上リジッド連結部１０ａと、下部の厚肉に形成された下リジッド連結部１０ｂと、これら上リジッド連結部１０ａと下リジッド連結部１０ｂとの間の外方膨出状に湾曲形成された薄肉の振動吸収筒部１０ｃとから構成されている。
【００２９】
また、上リジッド連結部１０ａの内周面には、取付け管６の下端部に径方向外方に張出形成された周方向環状の張出係合部が挿入される凹溝部１０ｄが形成されており、下リジッド連結部１０ｂの内周面には、ディスポーザ本体８における投入口部１１ａを構成する上ケーシング１１の上端部に径方向外方に張出形成された周方向環状の張出係合部が挿入される凹溝部１０ｅが形成されている。
【００３０】
そして、可撓筒体１０の上リジッド連結部１０ａが取付け管６の下端部に外嵌されて、張出係合部が凹溝部１０ｄに挿入されると共に、締付けバンド１２により締付け固定され、下リジッド連結部１０ｂが上ケーシング１１の上端部に外嵌されて、張出係合部が凹溝部１０ｅに挿入されると共に、締付けバンド１３により締付け固定され、ここに、取付け管６とディスポーザ本体８の上ケーシング１１とが可撓筒体１０を介して互いに連結される構造とされている。
【００３１】
また、取付け管６の下端部と上ケーシング１１の上端部との相互間における可撓筒体１０内に位置して、筒状の金属製支持体１４が配置されている。この支持体１４は取付け管６下端部の内径、もしくは上ケーシング１１上端部の内径と略同径の内径を有する円筒状に形成されており、支持体１４の上端外周には径方向外方に張出状とされた周方向環状の上係合ツバ部を備えると共に、支持体１４の下端外周には径方向外方に張出状とされた周方向環状の下係合ツバ部を備えた構造とされている。
【００３２】
そして、上リジッド連結部１０ａの凹溝部１０ｄに支持体１４の上係合ツバ部が嵌入されて係止されると共に、下リジッド連結部１０ｂの凹溝部１０ｅに支持体１４の下係合ツバ部が嵌入されて係止され、この状態で可撓筒体１０内に支持体１４が配置されている。
【００３３】
ここに、上ケーシング１１、即ちディスポーザ本体８は、取付け管６側に、可撓筒体１０や支持体１４等からなる防振機構７を介して吊下げ状態で支持された構造とされている。
【００３４】
そして本実施形態においては、可撓筒体１０における上リジッド連結部１０ａおよび下リジッド連結部１０ｂの各内部には、支持体１４と横方向に対してオーバーラップすべく、その周方向全域にわたって、かつその高さ方向略全長にわたって、撓み変形自在な布等からなる帯状部材１５ａ、１５ｂがそれぞれ一体に埋設された構造とされている。
【００３５】
前記ディスポーザ本体８は、前記同様、上ケーシング１１の下側に連結される下ケーシング１６を備え、下ケーシング１６内には駆動モータ１７によって回転駆動される平面視円形の回転板２２と、回転板２２の上面に径方向に離隔して揺動自在に取り付けられた一対のスイングハンマ２３と、各スイングハンマ２３に対応して下ケーシング１６の内周壁に沿って配設された固定刃２４とを備えた構造とされている。
【００３６】
そして、回転板２２の上方側に、スイングハンマ２３と固定刃２４との協働により上ケーシング１１上端部の投入口部１１ａを通じて投入された厨芥を破砕する破砕室２６を構成し、回転板２２の下方側に、破砕された厨芥が排出される排出室２７を構成している。
【００３７】
また、図３において、１９ａは内蓋で、厨芥投入口となる取付け管６の下部に着脱自在に配置され、その上部には封水キャップ２０ａが、着脱自在に装着されている。
【００３８】
そして、厨芥が厨芥投入口としての取付け管６を介してディスポーザ本体８内の破砕室２６に水と共に投入され、モータ１７の駆動により回転板２２が回転駆動されると、回転板２２の回転に伴って回転するスイングハンマ２３の衝突によって厨芥が破砕されると共に、スイングハンマ２３とその外周の固定刃２４との協働による剪断によって破砕され、破砕された厨芥は、下方の排出室２７に導かれ、水と共に排出通路を介して排出される。
【００３９】
本実施形態は以上のように構成されており、ディスポーザ本体８を吊持する可撓筒体１０における上リジッド連結部１０ａと下リジッド連結部１０ｂ間にわたって支持体１４が係止され、上リジッド連結部１０ａおよび下リジッド連結部１０ｂの各内部に、その周方向全域にわたって、かつその高さ方向略全長にわたって、撓み変形自在な布等からなる帯状部材１５ａ、１５ｂが一体に埋設されているため、長期使用により可撓筒体１０の振動吸収筒部１０ｃを構成するゴムが経年劣化した場合においては、支持体１４を介してディスポーザ本体８が支持され、また、可撓筒体１０の上リジッド連結部１０ａや下リジッド連結部１０ｂが経年劣化した場合においては、帯状部材１５ａ、１５ｂによってそれら上リジッド連結部１０ａや下リジッド連結部１０ｂの断裂が有効に防止でき、ここに、帯状部材１５ａ、１５ｂや支持体１４を介してディスポーザ本体８が支持されて、落下が有効に防止できる。
【００４０】
また、可撓筒体１０の内部に帯状部材１５ａ、１５ｂを埋設した構造であり、部品点数の増加を招くこともなく、シンク２下側の狭いスペースでの取付け作業における作業性にも優れる利点がある。
【００４１】
さらに、帯状部材１５ａ、１５ｂは撓み変形自在な布等からなるため、ディスポーザ本体８側の振動等を吸収する防振性能にもあまり影響を与えず、可撓筒体１０自体の製作設計も容易に行える。
【００４２】
なお、本実施形態において、可撓筒体１０における上リジッド連結部１０ａおよび下リジッド連結部１０ｂの内部に、帯状部材１５ａ、１５ｂが周方向全域にわたって、かつその高さ方向略全長にわたって埋設された構造を示しているが、周方向に離隔して複数個所部分的に、かつその高さ方向略全長にわたって埋設する構造としてもよい。
【００４３】
そして、この場合においても前記同様、可撓筒体１０の経年劣化による断裂を防止してディスポーザ本体８の落下が防止できると共に、部品点数の増加も有効に防止できる。
【００４４】
また、本実施形態においては、可撓筒体１０における上リジッド連結部１０ａおよび下リジッド連結部１０ｂの内部に、帯状部材１５ａ、１５ｂを埋設した構造を示しているが、可撓筒体１０における上リジッド連結部１０ａおよび下リジッド連結部１０ｂの外側表面もしくは内側表面に沿って、その周方向全域もしくは前記のように部分的に、かつその高さ方向略全長にわたって、帯状部材１５ａ、１５ｂを接着剤等による貼着や可撓筒体１０の成形時に一体に成形して一体に添設する構造としてもよい。
【００４５】
この場合においても前記同様、可撓筒体１０の経年劣化による断裂を防止してディスポーザ本体８の落下が防止できると共に、部品点数の増加も有効に防止できる。
【００４６】
なお、前記いずれの実施形態でも、帯状部材１５、１５ａ、１５ｂとして、撓み変形自在な一例として布を示しているが、金属繊維を編んだ撓み変形自在な構造のものや、撓み変形自在な薄板状の樹脂片等であってもよく、上記各実施形態に何ら限定されない。
【００４７】
【発明の効果】
以上のように、本発明のディスポーザによれば、可撓筒体に、その周方向全域もしくは部分的に、かつその高さ方向略全長にわたって、撓み変形自在な帯状部材が埋設されている構造や、可撓筒体の表面に沿って、その周方向全域もしくは部分的に、かつその高さ方向略全長にわたって、撓み変形自在な帯状部材が一体に添設されている構造であり、可撓筒体の経年劣化に起因する断裂を有効に防止して、ディスポーザ本体の落下を防止すると共に、部品点数の増加を招くことがないため、ディスポーザの取付け作業における作業性にも優れるという利点がある。
【００４８】
また、可撓筒体は、取付け管および投入口部とに連結されるそれぞれ厚肉の上リジッド連結部および下リジッド連結部と、これら上リジッド連結部と下リジッド連結部との間の薄肉の振動吸収筒部とを備え、取付け管と投入口部との相互間で、可撓筒体内に位置して上リジッド連結部と下リジッド連結部とにわたってそれぞれ係止される支持体を備え、上リジッド連結部および下リジッド連結部に、支持体と横方向に対してオーバーラップすべく、その周方向全域もしくは部分的に、かつその高さ方向略全長にわたって、撓み変形自在な帯状部材がそれぞれ埋設されている構造や、上リジッド連結部および下リジッド連結部の表面に沿って、支持体と横方向に対してオーバーラップすべく、その周方向全域もしくは部分的に、かつその高さ方向略全長にわたって、撓み変形自在な帯状部材が一体に添設されている構造とすることによっても、可撓筒体の経年劣化に起因する断裂を有効に防止して、ディスポーザ本体の落下を防止すると共に、部品点数の増加を招くことがないため、ディスポーザの取付け作業における作業性にも優れるという利点がある。
【図面の簡単な説明】
【図１】本発明の第１の実施形態にかかるディスポーザの一部断面図である。
【図２】同可撓筒体の断面拡大図である。
【図３】第２の実施形態にかかるディスポーザの断面図である。
【図４】同可撓筒体の断面拡大図である。
【符号の説明】
１  ディスポーザ
２  シンク
３  排水口
６  取付け管
７  防振機構
８  ディスポーザ本体
９  可撓筒体
１０  可撓筒体
１０ａ  上リジッド連結部
１０ｂ  下リジッド連結部
１０ｃ  振動吸収筒部
１１  上ケーシング
１１ａ  投入口部
１４  支持体
１５、１５ａ、１５ｂ  帯状部材
【図１】
2005034721.tif 000003
【図２】
2005034721.tif 000004
【図３】
2005034721.tif 000005
【図４】
2005034721.tif 000006